(57)【要約】      （修正有）【課題】キーボードを内蔵可能な本体を小型化・薄型化できる情報処理装置を提供する。【解決手段】情報処理を実行する情報処理部を収納し、最大の面であって、設置されたときに設置面に直接対向しない第１の面が、設置面と平行になるよう設置面に設置される略直方体の本体筺体２と、設置面に垂直な本体筺体２の第２の面から挿入された情報処理部に対するキー入力を行うキーボードを収納するキーボード収納部２１と、キーボード収納部２１に収納されたキーボードが脱落しないようロックするキーボードロック部２３と、を有する。本体筺体２の第２の面に対向する第３の面と第１の面との交線の一端近傍にキーボードロック部２３のロックを解除するスイッチ２４が設置されている。【選択図】図５
2016170539.tif 000002
【特許請求の範囲】
【請求項１】
情報処理を実行する情報処理部を収納し、最大の面であって設置されたときに設置面に直接対向しない第１の面が前記設置面と平行になるよう前記設置面に設置される略直方体の本体筺体と、
前記設置面に垂直な前記本体筺体の第２の面から挿入された前記情報処理部に対するキー入力を行うキーボードを収納するキーボード収納部と、
前記キーボード収納部に収納された前記キーボードが脱落しないようロックするキーボードロック部と、を有し、
前記本体筺体の前記第２の面に対向する第３の面と前記第１の面との交線の一端近傍に前記キーボードロック部のロックを解除するスイッチが設置されていることを特徴とする情報処理装置。
【請求項２】
前記スイッチは、前記キーボードロック部と連動していることを特徴とする請求項１記載の情報処理装置。
【請求項３】
前記キーボード収納部は、側面にキーボードを誘導する樹脂製部品が設置されていることを特徴とする請求項１または２記載の情報処理装置。
【請求項４】
前記キーボードは、側面に前記樹脂製部品の先端が掛かる溝が形成されていることを特徴とする請求項３記載の情報処理装置。
【発明の詳細な説明】
【技術分野】
【０００１】
本発明は、タッチパネルを備えた情報処理装置に関する。
【背景技術】
【０００２】
近年、タッチパネルを備えたパーソナルコンピュータ（ＰＣ）が普及している。タッチパネルは、表示画面の表面に装着される。文字等の入力はタッチパネルの表示画面にキーボードを表示させて入力したり、マイクで音声入力をすることができる。他にキーボードでのキー入力が一般的である。
【０００３】
キーボードは表示画面の前方下に配置され、使用しない時は無駄なスペースになってしまうという問題があった。そこで、ＰＣ本体にキーボードを収納し、省スペース化を実現することが考えられる。
【０００４】
特許文献１には、情報処理装置本体に設けた開口にキーボードを収納して奥でロックする構造が開示されている。
【先行技術文献】
【特許文献】
【０００５】
【特許文献１】特許第４２３７０９５号公報
【発明の概要】
【発明が解決しようとする課題】
【０００６】
しかし、特許文献１に開示されている技術では、本体部に収納したキーボードを側面でロックし、キーボードを押し込む動作によりロックを解除する構造のため、構造が大きくなり本体の小型化・薄型化を実現できないという問題があった。
【０００７】
本発明は、前記課題を解決するためのものであり、その目的とするところは、キーボードを内蔵可能な本体を小型化・薄型化できる情報処理装置を提供することにある。
【課題を解決するための手段】
【０００８】
かかる目的を達成するために、本発明は、以下の特徴を有する。
【０００９】
本発明に係る情報処理装置は、情報処理を実行する情報処理部を収納し、最大の面であって設置されたときに設置面に直接対向しない第１の面が前記設置面と平行になるよう前記設置面に設置される略直方体の本体筺体と、前記設置面に垂直な前記本体筺体の第２の面から挿入された前記情報処理部に対するキー入力を行うキーボードを収納するキーボード収納部と、前記キーボード収納部に収納された前記キーボードが脱落しないようロックするキーボードロック部と、を有し、前記本体筺体の前記第２の面に対向する第３の面と前記第１の面との交線の一端近傍に前記キーボードロック部のロックを解除するスイッチが設置されていることを特徴とする。
【発明の効果】
【００１０】
本発明によれば、キーボードを内蔵可能な情報処理装置本体を小型化・薄型化できる。
【図面の簡単な説明】
【００１１】
【図１】本実施形態に係る情報処理装置を示す正面図である。
【図２】本実施形態に係る情報処理装置を示す側面図である。
【図３】本実施形態に係る本体筐体のＣＤ／ＤＶＤドライブ側を示す側面図である。
【図４】本実施形態に係る情報処理装置のキーボードを示す上面図である。
【図５】本実施形態に係るキーボード収納部を示す斜視図である。
【図６】本実施形態に係るキーボードの側面を示す斜視図である。
【図７】本実施形態に係るキーボードが収納されたキーボード収納部を示す斜視図である。
【発明を実施するための形態】
【００１２】
以下、本実施形態について図面により詳細に説明する。
【００１３】
図１は、本実施形態に係る情報処理装置１を示す正面図である。情報処理装置１は、情報処理を実行する情報処理部が収納される本体筐体２と、情報処理部の情報処理結果を表示する表示部と表示部に重畳して取り付けられるとともにタッチ入力を受け付けて情報処理部に座標情報を出力するタッチパネル３を備える表示部筐体４とを有している。
【００１４】
図２は、本実施形態に係る情報処理装置１を示す側面図である。本体筐体２は略直方体であり、奥行きより横幅が長い形状である。また、本体筐体２の上面と下面とが設置面と平行になるように、本体筐体２は設置面に設置される。
表示部筐体４は長方形であり、縦幅より横幅が長い形状である。なお、表示部筐体４の形状は本実施形態に限定されず、他の形状であってもよい。
【００１５】
本体筐体２と表示部筐体４とは、本体筐体２の前面上端においてヒンジ５で取り付けられ、表示部筐体４は本体筺体２の前面上端を軸として回動可能である。ヒンジ５は、２箇所に設置されているが、２箇所以上設置されていてもよい。
【００１６】
表示部筐体４は、本体筐体２に対して図示した曲線の矢印方向に開閉することができる。表示部筐体４が設置面に対して立ち上がったＰＣ形態と、表示部筐体４が設置面に対して略水平なタブレット形態とを取ることができる。
【００１７】
図２（ａ）に示すように、表示部筐体４を最大に開いた状態では、表示部筐体４は本体筐体２に対して８０度の鋭角に傾いている。表示部筐体４は８０度で止まるようにしたのは、ＰＣの転倒防止のためである。表示部筐体４の表示部が前面を向いているので、ディスプレイタッチ方向は図示した直線の矢印方向である。
なお、表示部筐体４が本体筐体２に対して垂直や鈍角の位置に移動できるように設計変更することは可能である。
【００１８】
図２（ｂ）に示すように、表示部筐体４を本体筐体２に対して閉じた状態では、表示部筐体４の裏面と本体筐体２の上面とが接触しているので、表示部が上面を向いている。本体筐体２の奥行は、表示部筐体４の高さの１／２〜１倍であり、好適には２／３である。
【００１９】
表示部筐体４を本体筐体２の方向に折り畳むだけであり、ＰＣ形態から容易にタブレット形態にすることができる。また、タブレット形態では、タブレットとして使用し易く、持ち運びが容易である。
【００２０】
図３は、本実施形態に係る本体筐体２のＣＤ／ＤＶＤドライブ９側を示す側面図である。本体筐体２のキーボード収納部の上側には、一方に電子回路の基板上にＣＰＵやＨＤＤ等が搭載され、他方にＣＤ／ＤＶＤドライブ２１が設置されている。ＣＤ／ＤＶＤの取り出し口は、本体筐体２の側面を開閉することができる。
図２に示すように、本体筐体２の基板が設置されている側には、本体筐体２の側面にＵＳＢメモリ挿入口７やカード挿入口８等が設けられている。
【００２１】
図４は、本実施形態に係る情報処理装置１のキーボード１１を示す上面図である。情報処理装置１は、タッチパネルによる入力だけでなく、キーボード１１よる入力も可能である。
【００２２】
キーボード１１は薄い板状であり、本体筐体２の底面付近にキーボード１１を収納することができる。図１に示すように、本体筐体２の正面の下側にキーボード１１を挿入する挿入口６が設置されている。キーボード１１を使用しない時は、キーボード１１を本体筐体２に収納することができるので、ＰＣの省スペース化が可能である。
【００２３】
キーボード１１は、キーボードパワーボタン１２とＢｌｕｅｔｏｏｔｈ（登録商標）接続ボタン１３とを有している。キーボード１１は使用する時に本体筐体２の後部に設置されたスイッチを引くことにより、本体筐体２から引き出され、Ｂｌｕｅｔｏｏｔｈ接続される。
【００２４】
次に、キーボード収納部について説明する。図５は、本実施形態に係るキーボード収納部２１を示す斜視図である。本体内部のキーボード収納部２１の両側面に先端が球状に形成されたそれぞれ４個の樹脂製部品２２を有する。
【００２５】
図６は、本実施形態に係るキーボード１１の側面を示す斜視図である。キーボード１１の両側面には溝３１が設けられ、樹脂製部品２２がこの溝３１に掛かる。樹脂製部品２２により誘導され、キーボード１１を装置奥まで押し込むことで、キーボード１１の後端はキーボード収納部２１の後方の面に設置された樹脂製のフック形状のキーボードロック部２３でロックされる。
樹脂製部品２２に弾力性をもたせることで、キーボード挿入後のガタを防止すると共に、キーボード１１の斜め挿入を防止することができる。
【００２６】
本体筐体２後方の外側の角にロック解除スイッチ２４が設置されている。ロック解除スイッチ２４は、本体筐体２の後端内部に収納されている板状の連結部の一端に固定され、他端がバネで固定されているので、スライドした後に元の位置に戻ることができる。また、連結部にストッパーが形成されているので、ロック解除スイッチ２４は一定の距離を移動すると止まることができる。
【００２７】
キーボード収納部２１の後方の面に２個のキーボードロック部２３が連結部に固定され、ロック解除スイッチ２４と連動している。また、キーボード収納部２１の後方の面に２個の金属製弾性体２５が固定されていることにより、キーボード挿入時の衝撃を吸収し、キーボード挿入後のガタを防止することができる。
【００２８】
さらに、キーボード収納部２１の後方の面に２個の突起２６が形成され、キーボード１１に形成された穴３２に挿入されることにより、キーボード１１はキーボード収納部２１に確実に固定される。
【００２９】
図７は、本実施形態に係るキーボード１１が収納されたキーボード収納部２１を示す斜視図である。キーボードロック部２３はキーボード１１に形成された穴３３に挿入され、キーボード収納部２１に収納されたキーボード１１が脱落しないようロックする。
【００３０】
キーボード１１を取り出す際のロック解除は、ロック解除スイッチ２４を図示した矢印方向にスライドさせることにより、キーボードロック部２３もスライドし、キーボード１１が押し出されるため、キーボード１１を引き出すことが可能となる。したがって、スライド式のロック解除スイッチ２４を採用することで、情報処理装置１の小型化・薄型化を実現することができる。
【００３１】
本実施形態によれば、キーボードを内蔵可能な情報処理装置本体を小型化・薄型化できる。
【００３２】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３３】
１    情報処理装置
２    本体筐体
３    タッチパネル
４    表示部筐体
５    ヒンジ
６    挿入口
１１    キーボード
２１    キーボード収納部
２２    樹脂製部品
２３    キーボードロック部
２４    ロック解除スイッチ
２５    金属製弾性体
２６    突起
３１    溝
３２    穴
【図１】
2016170539.tif 000003
【図２】
2016170539.tif 000004
【図３】
2016170539.tif 000005
【図４】
2016170539.tif 000006
【図５】
2016170539.tif 000007
【図６】
2016170539.tif 000008
【図７】
2016170539.tif 000009